(57)【要約】【課題】配布用の冊子等に一体的に設けることができる組立て式文字盤カード及び組立て式文字盤カードフォームを提供する。【解決手段】カード基材１０１は、切り込み線１０５により分離可能に設けられたカード部１１と文字盤部１２と有し、その裏面に接着層１０４及び剥離層１０３が形成されることにより、カード部１１及び文字盤部１２ａが剥離可能に設けられている。このカード基材１０１を、冊子本体５０の少なくとも１つのページとして用いられるシート状基材１０２ａに、接着層１０４によって強接着することにより、組立て式文字盤カードフォーム１０Ａが形成される。カード部１１は、折り線１１ｉ−１，１１ｉ−２により３つ折りし、その内側に文字盤部１２ａを挟み、スリット部１１ｄから文字盤部１２ａの一部を突出させることにより、文字盤部１２ａを回転可能に保持できる組立て式文字盤カード１０とする。【選択図】図１
2006292904.tif 000002
【特許請求の範囲】
【請求項１】
略円盤形状であり、略同径上に時刻情報が記載された回転盤部と、
少なくとも２つ折りし、その内側に前記回転盤部を挟み込み可能であるカード部と、
を備え、
前記カード部は、
前記回転盤部の一部を突出させ回転可能に保持するスリット部と、
前記回転盤部の前記時刻情報が記載された位置に対応して複数設けられ、前記回転盤部の回転距離に応じて前記時刻情報を表示し、その周辺部に時差分に応じた位置に配置された地域情報が記載された窓部とを有すること、
を特徴とする組立て式文字盤カード。
【請求項２】
請求項１に記載の組立て式文字盤カードが作成可能な組立て式文字盤カードフォームであって、
前記回転盤部及び前記カード部は、カード基材に設けられ、
前記カード基材は、前記回転盤部、前記カード部をそれぞれ分離可能にする第１の切り込み線を有すること、
を特徴とする組立て式文字盤カードフォーム。
【請求項３】
請求項２に記載の組立て式文字盤カードフォームにおいて、
前記カード基材は、
その裏面に積層されるシート状基材と、
前記カード基材と前記シート状基材との間に形成され、前記カード基材と前記シート状基材とを剥離困難に強接着する接着層と、
前記カード基材と前記シート状基材との間に形成され、少なくとも前記カード部及び前記回転盤部を剥離可能にする剥離層とを備えること、
特徴とする組立て式文字盤カードフォーム。
【請求項４】
請求項２に記載の組立て式文字盤カードフォームにおいて、
前記カード基材の裏面に積層されるシート状基材と、
前記カード基材と前記シート状基材との間に形成され、前記カード基材と前記シート状基材とを剥離困難に強接着する接着層と、
前記カード基材と前記シート状基材との間に形成され、少なくとも前記カード部及び前記回転盤部を剥離可能にする剥離層と、
前記シート状基材の裏面に形成された粘着材層と、
前記粘着材層に剥離可能に積層された剥離部材と、
前記カード部を分離可能にする前記第１の切り込み線に囲まれた領域よりも内側の前記粘着層と前記剥離部材とに形成された第２の切り込み線と、
前記第２の切り込み線により形成される粘着領域と、
を備え、
前記粘着領域は、前記カード部を剥離することにより表出し、前記カード部の折り畳まれた形状を固定すること、
を特徴とする組立て式文字盤カードフォーム。
【請求項５】
請求項２から請求項４までのいずれか１項に記載の組立て式文字盤カードフォームにおいて、
複数のページからなる冊子本体を備えること、
を特徴とする組立て式文字盤カードフォーム。
【請求項６】
請求項５に記載の組立て式文字盤カードフォームにおいて、
前記冊子本体は、少なくとも１つのページが前記シート状基材であること、
を特徴とする組立て式文字盤カードフォーム。
【発明の詳細な説明】
【技術分野】
【０００１】
本発明は、可動式の文字盤を有する組立て式文字盤カード、及び、その組立て式文字盤カードを作成可能な組立て式文字盤カードフォームに関するものである。
【背景技術】
【０００２】
従来、商品の販売や利用促進のために、その商品の広告、宣伝や利用方法等が記載された冊子やカード等（以下、冊子等とする）を配布することは、広く行われている。
このような冊子等は、キャンペーン等で、カレンダーやメモ、ステッカー等のノベルティを付けて一緒に配布する場合もある。
【０００３】
例えば、携帯電話会社等は、携帯電話の新製品の広告、宣伝等や、各種サービスの案内等が記載された冊子等を、販売促進や各種サービス等の利用促進のために、街頭や販売取扱店等で利用者等に配布したり、郵送等により利用者に配布したりする場合がある。
【０００４】
近年、携帯電話会社の提供するサービスの発展は目覚しく、従来は国内通話のみであったが、携帯電話による国際電話も可能となってきている。
国際電話をかける場合、相手先と現在地との時差を考慮する必要があるが、各国間の時差は、容易には判断し難い。そのため、現在地の任意の時刻における相手先の時刻を簡単に知ることができるような時差早見装置（例えば、特許文献１参照。）を、携帯電話による国際電話の利用促進に効果的なノベルティとして提供したいという要望があった。
【０００５】
さて、このようなノベルティを冊子等とともに配布する場合、配布作業等の効率向上とノベルティの紛失防止のために、ノベルティは、冊子等と一体として配布されることが望ましい。そこで、ノベルティを小袋等に封入して冊子等に貼付する等の手法が用いられるが、例えば、特許文献１に示すような時差早見装置をノベルティとして冊子等に貼付する場合、ノベルティを封入した小袋の厚み等により、冊子等の厚さに段差が生じてしまう。また、小袋や貼付用の粘着テープ等を必要とするためコストがかかることや、貼付作業により作業効率が劣るという問題があった。
【特許文献１】特開平５−２１０３５０号公報
【発明の開示】
【発明が解決しようとする課題】
【０００６】
そこで、本発明の課題は、キャンペーン等で配布する冊子等に一体的に設けることができる組立て式文字盤カード及び組立て式文字盤カードフォームを提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、略円盤形状であり、略同径上に時刻情報が記載された回転盤部（１２，２２）と、少なくとも２つ折りし、その内側に前記回転盤部を挟み込み可能であるカード部（１１，２１）と、を備え、前記カード部は、前記回転盤部の一部を突出させ回転可能に保持するスリット部（１１ｄ，２１ｄ）と、前記回転盤部の前記時刻情報が記載された位置に対応して複数設けられ、前記回転盤部の回転距離に応じて前記時刻情報を表示し、その周辺部に時差分に応じた位置に配置された地域情報（１１ｆ，２１ｆ）が記載された窓部（１１ｅ，２１ｅ）とを有すること、を特徴とする組立て式文字盤カード（１０，２０）である。
請求項２の発明は、請求項１に記載の組立て式文字盤カード（１０，２０）が作成可能な組立て式文字盤カードフォームであって、前記回転盤部（１２，２２）及び前記カード部（１１，２１）は、カード基材（１０１）に設けられ、前記カード基材は、前記回転盤部、前記カード部をそれぞれ分離可能にする第１の切り込み線（１０５）を有すること、を特徴とする組立て式文字盤カードフォーム（１０Ａ，２０Ａ）である。
請求項３の発明は、請求項２に記載の組立て式文字盤カードフォームにおいて、前記カード基材（１０１）は、その裏面に積層されるシート状基材（１０２ａ，１０７）と、前記カード基材と前記シート状基材との間に形成され、前記カード基材と前記シート状基材とを剥離困難に強接着する接着層（１０４）と、前記カード基材と前記シート状基材との間に形成され、少なくとも前記カード部及び前記回転盤部を剥離可能にする剥離層（１０３）とを備えること、特徴とする組立て式文字盤カードフォーム（１０Ａ，２０Ａ）である。
請求項４の発明は、請求項２に記載の組立て式文字盤カードフォームにおいて、前記カード基材（１０１）の裏面に積層されるシート状基材（１０７）と、前記カード基材と前記シート状基材との間に形成され、前記カード基材と前記シート状基材とを剥離困難に強接着する接着層（１０４）と、前記カード基材と前記シート状基材との間に形成され、少なくとも前記カード部及び前記回転盤部を剥離可能にする剥離層（１０３）と、前記シート状基材の裏面に形成された粘着材層（１０８）と、前記粘着材層に剥離可能に積層された剥離部材（１０９）と、前記カード部（２１）を分離可能にする前記第１の切り込み線（１０５）に囲まれた領域よりも内側に、前記粘着層と前記剥離部材とに形成された第２の切り込み線（１１１）と、前記第２の切り込み線により形成される粘着領域（２１ｊ）と、を備え、前記粘着領域は、前記カード部を剥離することにより表出し、前記カード部を折り畳み、前記カード部の形状を固定すること、を特徴とする組立て式文字盤カードフォーム（２０Ａ）である。
請求項５の発明は、請求項２から請求項４までのいずれか１項に記載の組立て式文字盤カードフォームにおいて、複数のページからなる冊子本体（５０）を備えることを特徴とする組立て式文字盤カードフォーム（１０Ａ，２０Ａ）である。
請求項６の発明は、請求項５に記載の組立て式文字盤カードフォームにおいて、前記冊子本体（５０）は、少なくとも１つのページが前記シート状基材（１０２ａ）であること、を特徴とする組立て式文字盤カードフォーム（１０Ａ）である。
【発明の効果】
【０００８】
本発明によれば、以下の効果を奏することが出来る。
（１）回転盤部は、略同径上に配置された時刻情報を有し、カード部は、少なくとも２つ折り可能であり、回転盤部を突出させ回転可能に保持するスリット部と、回転盤部の回転距離に応じた時刻情報を表示する窓部とを有するので、組立て式文字盤カードは、回転盤部を任意の方向に所定量回転させることにより、時刻情報を提供することができる。
（２）カード部及び回転盤部は、第１の切り込み線により、カード基材から分離可能に設けられているので、１枚の基材から組立て式文字盤カードを作成できる。
（３）カード基材は、その裏面に積層されるシート状基材と、カード基材とシート状基材の間に形成され、カード基材とシート状基材とを剥離困難に接着する接着層と、カード基材とシート状基材の間に形成され、少なくともカード部と回転盤部とを剥離可能にする剥離層とを備えているので、カード基材に設けられたカード部及び文字盤部を剥離できる。
（４）カード基材は、その裏面に積層されるシート状基材と、カード基材とシート状基材の間に形成され、カード基材とシート状基材とを剥離困難に接着する接着層と、カード基材とシート状基材の間に形成され、少なくともカード部と回転盤部とを剥離可能にする剥離層と、シート状基材の裏面に形成された粘着材層と、粘着材層に積層された剥離部材と、カード部を分離可能にする第１の切り込み線に囲まれた領域よりも内側の粘着材層と剥離部材とに形成された第２の切り込み線と、第２の切り込み線により形成される粘着領域とを備えているので、粘着領域は、カード部を剥離することによりカード部の裏面に表出し、カード部を折り畳んだ形状で固定することができる。
（５）冊子本体は、少なくとも１つのページをシート状基材とすることにより、組立て式文字盤カードが冊子に一体的に形成された組立て式文字盤カードフォームを提供できる。
【発明を実施するための最良の形態】
【０００９】
本発明は、キャンペーン等での配布用の冊子等に一体的に備えることができる組立て式文字盤カード及び組立て式文字盤カードフォームを提供するという目的を、冊子本体のページの１つをシート状基材とし、カード部と文字盤部とが分離可能に設けられたカード基材を接着層によりシート状基材に強接着し、剥離層によりカード部と文字盤部とを剥離可能とすることにより実現した。
【実施例１】
【００１０】
図１は、本発明による組立て式文字盤カード及び組立て式文字盤カードフォームの実施例１を示す図である。
（組立て式文字盤カードフォーム）
組立て式文字盤カード１０を作成する組立て式文字盤カードフォーム１０Ａは、図１（ａ）に示すように、カード基材１０１と、冊子本体５０とを備えている。
カード基材１０１は、コート紙、合成紙等であり、カード部１１、文字盤部１２、マージナル部ｍ等を備え、カード部１１、文字盤部１２は、切り込み線１０５により分離可能に設けられている。
【００１１】
カード部１１は、折り線１１ｉ−１，１１ｉ−２を有し、この折り線１１ｉ−１，１１
ｉ−２により、カード面１１ａ，１１ｂ，１１ｃに３つ折り可能である。
カード面１１ａは、カード部１１の略中央部分の面であり、切り込み線１０５により形成された複数の窓部１１ｅが略同径上に配置されている。この窓部１１ｅの周辺には、後述する文字盤部１２に記載された時刻情報に対応し、時差分に応じた位置に配置された都市又は地域名等の地域情報１１ｆが記載されている。
カード面１１ｂは、カード面１１ａの地辺側の面であり、切り込み線１０５により差込凹部１１ｇが形成されている。また、カード面１１ｂは、カード面１１ａとの境界線部分である折り線１１ｉ−１の一部に、後述する文字盤部１２を差し込んで突出させるスリッ
ト部１１ｄが切り込み線１０５により形成されている。
カード面１１ｃは、カード面１１ａの天辺側の面であり、切り込み線１０５により差込凸部１１ｈが形成されている。この差込凸部１１ｈは、折り線１１ｉ−１，１１ｉ−２を
山としてカード面１１ｂ，１１ｃを折った場合に、前述の差込凹部１１ｇに差込可能な位置に形成されている。
【００１２】
文字盤部１２は、略円盤状であり、その表面の略同径上に、時刻情報として１から２４までの数字等が時計回りに等間隔に記載された回転盤部である。この文字盤部１２は、直径がカード部１１のスリット部１１ｄよりも大きく、スリット部１１ｄに差し込んだ場合にその一部が突出するように形成されている。本実施例において、文字盤部１２は、略同形状で、デザインの異なる文字盤部１２ａ，１２ｂの２つが設けられている例を示しているが、文字盤部は１つでもよい。
マージナル部ｍは、機械等での加工がし易いように連続した穴（マージナルパンチホール）が形成されている部分である。
【００１３】
冊子本体５０は、複数のページからなる冊子である。冊子本体５０を形成するシート片１０２ａ，１０２ｂは、前述のカード基材１０１よりも厚みが薄いコート紙、上質紙等により形成されたシート状基材である。図１（ａ）に示すように、その両端部にはマージナル部ｍが設けられている。
シート片１０２ａ，１０２ｂは、図１（ｂ）に示すように、積み重ねられ、各シート片の中央付近に天辺から地辺までに設けられたライン糊１０６により綴じ合わされている。
【００１４】
カード基材１０１は、図１（ｂ）に示すように、カード基材１０１とシート片１０２ａとの間に形成され、カード基材１０１とシート片１０２ａとを剥離困難に強接着する接着層１０４を有する。
また、カード基材１０１において、カード部１１、文字盤部１２が設けられている領域は、カード基材１０１とシート片１０２ａとの間に剥離層１０３が形成されている。ただし、カード部１１の窓部１１ｅが設けられる領域は、剥離層１０３が形成されておらず、接着層１０４が形成されている。
【００１５】
（組立て式文字盤カードフォームの製造方法）
必要事項を印刷したシート片１０２ａ，１０２ｂは、中央付近にその天辺から地辺までライン糊１０６を塗布される。カード基材１０１は、その裏面の所定の位置に剥離層１０３、接着層１０４を形成する。この工程においては、カード基材１０１は、切り込み線１０５が形成されていない。
次に、シート片１０２ａ，１０２ｂと、カード基材１０１とを、それぞれのマージナル部ｍを用いて丁合する。これにより、冊子本体５０にカード基材１０１が一体的に備えられた形態となる。
この形態となった冊子本体５０及びカード基材１０１は、一定の高さに刃型が形成されたピナクルダイ等の刃型等により、シート片１０２ａを貫通させない深さでカード基材１０１に切り込み線１０５が設けられ、カード部１１、文字盤部１２が分離可能となり、スリット部１１ｄ、窓部１１ｅ、差込凹部１１ｇ、差込凸部１１ｈ等が形成される。次に、シート片１０２ａ，１０２ｂ，カード基材１０１のマージナル部ｍを切断し、組立て式文字盤カードフォーム１０Ａが完成する。この組み立て式文字盤カードフォーム１０Ａは、冊子本体５０のライン糊１０６に沿って２つ折りされ、冊子の状態で配布する。
【００１６】
（組立て式文字盤付きカードの使用方法）
使用者は、組立て式文字盤カードフォーム１０Ａから、カード部１１と、文字盤部１２ａ，１２ｂのいずれかを剥離する。以下、例として、文字盤部１２ａを剥離したとして説明する。
窓部１１ｅは、カード基材１０１が接着層１０４によりシート状基材１０２ａに接着されているので、カード部１１を剥離することにより形成される。
次に、使用者は、カード部１１の折り線１１ｉ−１を山としてカード部１１を折り、ス
リット部１１ｄに文字盤部１２ａを差し込む。次に、使用者は、折り線１１ｉ−２を山と
してカード部１１を折り、差込凹部１１ｇに、対応する差込凸部１１ｈをそれぞれ差し込み、図１（ｃ）に示すように、組立て式文字盤カード１０が完成する。
使用者は、スリット部１１ｄから突出した文字盤部１２ａを回転させ、カード面１１ａに記載された位置情報１１ｆ中の自分の現在地（例えば、日本）の窓部１１ｅに現在の時刻に近い数字を表示させる。窓部１１ｅは、その周囲に記載された各都市名の都市間の時差分に応じて配置されているので、国際電話をかけたい相手先の都市名又は相手先に最も近い都市名（例えば、ロンドン）の窓部１１ｅには、相手先のおおよその時刻情報を表す数字が表示される。
【００１７】
このような組立て式文字盤カード１０、及び、組立て式文字盤カードフォーム１０Ａとすることにより、キャンペーン等での配布時に冊子本体５０の厚み方向に段差を生じさせることなく組立て式文字盤カードをノベルティとして冊子本体に貼付できる。
【００１８】
冊子本体５０は、ライン糊１０６を用いて丁合することにより、ステープラー針等の金具等を使用しないので、金具等の鋭利な端部等で使用者が怪我をすることがなく、紙資源のリサイクル等がし易くなり、環境面への配慮も図ることができる。
【００１９】
カード部１１は、差込凹部１１ｇに差込凸部１１ｈを差し込むことにより、両面テープ等を用いることなく、簡単に組立て式文字盤カード１０を作成することができる。
また、カード部１１及び文字盤部１２は、紙製であるカード基材１０１を用いているので、紙資源のリサイクルに適しており、環境面への配慮も図ることができる。
【実施例２】
【００２０】
図２は、本発明による組立て式文字盤カード及び組立て式文字盤フォームの実施例２を示す図である。
なお、前述した実施例１と同様の機能を果たす部分には、同一の符号又は末尾に統一した符号を付して、重複する説明を適宜省略する。
実施例２の組立て式文字盤カード２０及び組立て式文字盤カードフォーム２０Ａは、実施例１に示した組立て式文字盤カード１０及び組立て式文字盤カードフォーム１０Ａと略同形状であるが、カード基材１０１は、その裏面にタック紙１１０が積層されている点で相違する。
【００２１】
図２（ａ）に示すように、カード基材１０１に設けられたカード部２１、文字盤部２２は、実施例１に示したカード部１１、文字盤部１２と同形状であり、カード部２１は、カード面２１ａ，２１ｂ，２１ｃ、スリット部２１ｄ、窓部２１ｅ、折り線２１ｉ−１，２
１ｉ−２等を有する。
【００２２】
実施例２の組立て式文字盤カードフォーム２０Ａは、図２（ｂ）に示すように、カード基材１０１の裏面に、タック紙１１０が接着層１０４により積層されている。
タック紙１１０は、シート状基材であるタック基材１０７と、タック基材１０７の裏面に形成される粘着層１０８と、粘着層１０８に剥離可能に積層される剥離部材である剥離紙１０９とを備えている。このタック紙１１０は、汎用のものが安価に市販されているので、本実施例のように用いることが、コストダウンために好ましい。
【００２３】
また、タック紙１１０は、タック基材１０７、粘着層１０８にハーフカット線１１１が施されており、ハーフカット線１１１により囲まれた任意の形状部分のタック基材１０７を、接着層１０４により強接着することにより、粘着領域２１ｊが形成されている。この粘着領域２１ｊは、本実施例において、図２（ａ）に示すように、カード面２１ｃの裏面の上端部分（２１ｊ−１）とカード面２１ａの裏面の左右両端部分（２１ｊ−２）に形成
されている。
【００２４】
実施例２の組立て式文字盤カードフォーム２０Ａは、図２（ｂ）に示すように、ライン糊１０６が中央付近に塗布されたシート片１０２ａ，１０２ｂと、剥離紙１０９の端部にライン糊１０６−２が塗布されたタック紙１１０とを、マージナル部ｍに形成されたパンチホールを用いて丁合した後、マージナル部ｍを切断して形成される。
【００２５】
使用者は、カード部２１、文字盤部２２ａを剥離し、図２（ｃ）に示すように、折り線２１ｉ−１を山としてカード部２１を折り、文字盤部２２ａをスリット部２１ｄに差し込み、粘着領域２１ｊ−２により、カード面２１ａの裏面とカード面２１ｂの裏面とを貼り合わせる。次に、使用者は、折り線２１ｉ−２を山としてカード部２１を折り、粘着領域
２１ｊ−１により、カード面２１ｂとカード面２１ｃの裏面とを貼り合わせて固定し、組立て式文字盤カード２０が完成する。
【００２６】
このような組立て式文字盤カード２０、及び、組立て式文字盤カードフォーム２０Ａとすることにより、カード部２１は、これを剥離動作とともに、その裏面の一部に粘着領域２１ｊが設けられ、組立て式文字盤カード２０を容易に作成することができる。
また、粘着領域２１ｊは、折り畳まれたカード部２１の形状を保持する強度を向上させる。
【００２７】
（変形例）
以上説明した実施例に限定されることなく、種々の変形や変更が可能であって、それらも本発明の均等の範囲内である。
（１）各実施例において、カード基材１０１は、コート紙、合成紙等の紙製である例を示したが、これに限らず、例えば、ポリエチレンテレフタレート樹脂製等の合成樹脂シート等を用いて、強度の向上を図ってもよい。
【００２８】
（２）各実施例において、カード部１１，２１は３つ折りする例を示したが、これに限らず、２つ折りとしてもよい。
【００２９】
（３）各実施例において、組立て式文字盤カードフォーム１０Ａ，２０Ａは、冊子本体５０を備える例を示したが、これに限らず、例えば、はがきやカード等を備えてもよい。
【００３０】
（４）実施例２において、粘着層１０８に剥離紙１０９が積層される例を示したが、これに限らず、例えば、剥離フィルム等を積層してもよい。
【図面の簡単な説明】
【００３１】
【図１】本発明による組立て式文字盤カード及び組立て式文字盤カードフォームの実施例１を示す図である。
【図２】本発明による組立て式文字盤カード及び組立て式文字盤カードフォームの実施例２を示す図である。
【符号の説明】
【００３２】
１１，２１    カード部
１２，２２    文字盤部
５０    冊子本体
１０１    カード基材
１０２ａ，１０２ｂ    シート片
１０３    剥離層
１０４    接着層
１０５    切り込み線
１０６    ライン糊
１０７    タック基材
１０８    粘着層
１０９    剥離紙
１１０    タック紙
１１１    ハーフカット
ｍ    マージナル部
【図１】
2006292904.tif 000003
【図２】
2006292904.tif 000004